(57)【要約】      （修正有）【課題】プラスチック材料の外部ケーシングを有する電磁コイルに関し、衝撃に対する強度を確保すること。【解決手段】電磁コイル１の外部ケーシング４が、衝撃に対する保護として複数のリブ４０を、このケーシング４の外面上に設ける。このリブ４０は、相互に平行に配置する。さらにリブ４０は複数のフィンで形成され、それらのフィンの幅ｂがそれらの高さｈよりも小さい。ケーシング４及びリブ４０はプラスチック材料の射出成形で製造する。また、電気コネクタ筐体２に複数のリブ２０を設ける。【選択図】図１
2005245193.tif 000002
【特許請求の範囲】
【請求項１】
プラスチック材料の１つの外部ケーシング（４）を有する電磁コイル（１）であって、前記ケーシングが、衝撃に対する保護として複数のリブ（４０）を外面上に有することを特徴とする電磁コイル。
【請求項２】
前記リブ（４０）が、相互に平行に配置されることを特徴とする請求項１に記載の電磁コイル。
【請求項３】
前記リブ（４０）が、複数のフィンから形成され、それらのフィンの幅（ｂ）がそれらの高さ（ｈ）よりも小さいことを特徴とする請求項１に記載の電磁コイル。
【請求項４】
前記リブ（４０）の前記高さ（ｈ）に対する間隔（ａ）の比が、１から２までの範囲内にあることを特徴とする請求項１に記載の電磁コイル。
【請求項５】
前記ケーシング（４）および前記リブ（４０）が、同じ材料から製造されることを特徴とする請求項１に記載の電磁コイル。
【請求項６】
前記ケーシング（４）および前記リブ（４０）が、射出成形されたプラスチック材料から製造されることを特徴とする請求項１に記載の電磁コイル。
【請求項７】
前記リブ（４０）が、前記電磁コイル（１）の複数の側面上に設けられることを特徴とする請求項１に記載の電磁コイル。
【請求項８】
前記電磁コイル（１）に、複数のリブ（２０）を同様に有する１つ電気コネクタ筐体（２）が設けられていることを特徴とする請求項１に記載の電磁コイル。
【請求項９】
前記電磁コイル（１）に１つの電気コネクタ筐体（２）が設けられ、前記電磁コイルおよび前記コネクタ筐体が、鋳込み成形、ねじ留め、または接着剤による接合によって相互に確実に連結されていることを特徴とする請求項１に記載の電磁コイル。
【発明の詳細な説明】
【技術分野】
【０００１】
本発明は、プラスチック材料の１つの外部ケーシングを有する１つの電磁コイルに関する。
【背景技術】
【０００２】
電磁コイルは危険部分に関して、規格ＥＮ  ５０  ０１４およびＥＮ  ５０  ０２８に準拠する１つの衝撃試験に適合しなければならない。この試験では、１つの半球状の試験体を用いて、衝撃に曝される部分に垂直の打撃を加える。
【０００３】
この規定を満たすために、特に、低い温度（例えば、−５０℃）の場合には、このケーシングには如何なる亀裂もあってはならず、かつ複数の内部電気構成要素、特に、その１つの巻線は保護されていなければならないので、特別な方策を講じなければならない。
【発明の開示】
【発明が解決しようとする課題】
【０００４】
十分な耐衝撃性を確保するために、それに応じてプラスチック製ケーシングは強化されるのが通常である。しかし、この目的には追加的な材料が必要であり、それによってコストの上昇が生じる。
【課題を解決するための手段】
【０００５】
したがって、本発明の１つの目的は、十分な耐衝撃性を確保する際に、材料およびコストを節約できるように、プラスチック材料の１つの外部ケーシングを有する電磁コイルを改良することである。
【０００６】
この目的は、請求項１の複数の特徴によって、本発明にしたがって実現される。
【０００７】
本発明によるコイルは、プラスチック材料の外部ケーシングが、衝撃に対する保護として、その外面上に複数のリブを有することによって特徴付けられる。これらのリブは、相対的に大きな衝撃エネルギーからケーシング自体を保護するために、１つの衝撃吸収帯のように変形することによってエネルギーを吸収することができる。
【０００８】
これらのリブの配置および形態は、規格で規定された試験体が、これらのリブに打撃を加えることができるが、実際のケーシング面には打撃を加えることができないようになっている。
【０００９】
本発明の他の複数の形態は、複数の従属請求項の主題である。
【００１０】
１つの好ましい実施形態では、このケーシングおよびこれらのリブが射出成形プラスチック材料から製造される。これらのリブは、相互に平行に有利に配置されて複数のフィンを形成し、それらのフィンの幅は、それらの高さよりも小さい。
【発明の効果】
【００１１】
プラスチック材料の１つの外部ケーシングを有する電磁コイルを改良することによって、十分な耐衝撃性を確保する際に材料およびコストが節約出来る。
【発明を実施するための最良の形態】
【００１２】
本発明の他の複数の形態および利点は、１つの実施形態の記載と複数の図面によって以下でさらに詳細に説明される。
【００１３】
図１は、相互に確実に連結されている１つの電磁コイル１および１つの電気コネクタ筐体２を示す。
【００１４】
図２にさらに詳細に示されているコイル１は、１つのヨーク１０、１つのコイル本体１１、および１つのコイル巻線１２を実質的に備える。
【００１５】
詳細には、１つの磁心３０、１つの電機子３１、１つの電機子ガイド３２、および１つの固定ナット３３を備える１つの電機子システム３の複数の構成要素も示されている。
【００１６】
電磁コイル１はまた、１つの射出成形過程によって通常製造される、プラスチック材料の１つの外部ケーシング４を有する。複数のリブ４０も、衝撃に対する保護としてケーシング４の外面上に設けられている。
【００１７】
図示の実施形態では、これらのリブは複数のフィンから形成されており、それらの幅ｂは、それらの高さｈよりも小さい。リブの高さｈに対する間隔ａの比は、１から２までの範囲内にあることが好ましい。
【００１８】
本発明の範囲内では、当然のことであるが、これらのリブの他の複数の構成も可能である。これらのリブの形態は、一方では、可能な限り少ない材料で済むように、さらに他方では、遵守すべき規格に準拠して、衝撃試験の複数の基準に適合するような１つの方式で有利に選択される。
【００１９】
リブ４０は、ケーシング４と同じ材料から適切に構成されており、このケーシングおよびこれらのリブは、１つの射出成形過程によって同時に製造可能である。
【００２０】
図示の実施形態では、リブ４０は、定義によって、衝撃は上方および側方からのみ加わり得るので、電磁コイル１の複数の側面上にのみに設けられている。この場合では、固定ナット３３が設けられている上部領域は、試験体がケーシング４にいかなる損傷も引き起こし得ないように複数の寸法を有する。したがって、ここにはリブが１つも設けられていない。しかし、本発明の範囲内では、必要に応じてまたは適切であれば、この領域も複数のリブを有し得る。コイル１とは別体に製造されたコネクタ筐体２は、例えば、接着剤による接合、ねじ留め、または鋳込み成形によって、コイル１に確実に連結される。
【００２１】
コネクタ筐体２も同様に、その外周囲面上に複数のリブ２０を有し、これらのリブは、それらの形態が電磁コイル１のリブ４０に対応する。
【００２２】
リブ４０および２０は、電磁コイル１およびコネクタ筐体２によってそれぞれに形成された構成要素を十分な程度に衝撃に対して保護し、しかも従来の複数の設計と比較してケーシングのための材料およびコストを節約することが可能である。
【図面の簡単な説明】
【００２３】
【図１】１つの電気コネクタ筐体を有する、本発明における１つの電磁コイルを示す１つの３次元図である。
【図２】図１における１つのコネクタ筐体を有する電磁コイルを示す１つの側面部分断面図である。
【符号の説明】
【００２４】
１  電磁コイル
２  筐体
３  ケーシング
１０  ヨーク
１１  コイル本体
１２  コイル巻線
２０  リブ
３０  磁心
３１  電機子
３２  電機子ガイド
３３  固定ナット
４０  リブ
【図１】
2005245193.tif 000003
【図２】
2005245193.tif 000004